(57)【要約】【課題】新たな部品を追加することなく、配線板を導電性部材に電気的に接続することができるとともに、組み立て作業性の向上及び低コスト化を図ることができる電子機器を提供する。【解決手段】電子機器は、導電性弾性部材１０を有する電子部品９と、一方の面に第１の導電露出部１５が形成されると共に、他方の面に第２の導電露出部２７が第１の導電露出部１５に対して板厚方向に重なるように形成され、導電性弾性部材１０がチャージ圧を発生させた状態で第１の導電露出部１５に電気的に接続される両面配線板１７と、を備える。【選択図】図５
2009170518.tif 000002
【特許請求の範囲】
【請求項１】
導電性弾性部材を有する電子部品と、導電性部材と、一方の面に前記導電性弾性部材と電気的に接続するための第１の導電露出部が形成されると共に、他方の面に前記導電性部材と電気的に接続するための第２の導電露出部が前記第１の導電露出部に対して板厚方向に重なるように形成される両面配線板と、を備え、
前記導電性弾性部材が弾性力を発生させた状態で、前記導電性弾性部材と前記第１の導電露出部とを接触させ、前記導電性弾性部材の弾性力により前記第２の導電露出部と前記導電性部材とを接触させるように前記電子部品、前記両面配線板および前記導電性部材とを配置することを特徴とする電子機器。
【請求項２】
導電性弾性部材を有する電子部品と、導電性部材と、一方の面に前記導電性弾性部材と電気的に接続するための第１の導電露出部および前記導電性部材と電気的に接続するための第２の導電露出部が形成される片面配線板と、を備え、
前記片面配線板は、前記第２の導電露出部が前記第１の導電露出部に対して板厚方向に重なるように、前記第１の導電露出部と前記第２の導電露出部との間で折り曲げられ、前記導電性弾性部材が弾性力を発生させた状態で、前記導電性弾性部材と前記第１の導電露出部とを接触させ、前記導電性弾性部材の弾性力により前記第２の導電露出部と前記導電性部材とを接触させるように前記電子部品、前記両面配線板および前記導電性部材とを配置することを特徴とする電子機器。
【請求項３】
前記電子部品の前記第１の導電露出部から離間する側に配置されたカバー部材を備え、前記電子部品と前記カバー部材との間に弾性部材が圧縮された状態で介装される、ことを特徴とする請求項１または２に記載の電子機器。
【請求項４】
前記導電性部材は、前記第２の導電露出部に接触する部分に凸部を有する、ことを特徴とする請求項１ないし３のいずれか一項に記載の電子機器。
【請求項５】
前記第２の導電露出部は、グランドに接続するための露出部である、ことを特徴とする請求項１〜４のいずれか一項に記載の電子機器。
【請求項６】
前記第２の導電露出部が露出する面積が、前記第１の導電露出部が露出する面積より大きい、ことを特徴とする請求項１〜５のいずれか一項に記載の電子機器。
【発明の詳細な説明】
【技術分野】
【０００１】
本発明は、例えば、スピーカやマイクロフォン等の電子部品を備える撮像装置等の電子機器に関する。
【背景技術】
【０００２】
撮像装置等の電子機器においては、近年の撮像素子の高画素化による不要輻射の防止や静電破壊の防止のために、内部に配置されたプリント配線板のグランド（以下、ＧＮＤと称す。）の強化を要する場合がある。
【０００３】
このような場合、従来では、プリント配線板のＧＮＤと導電性部材とを電気的に接続することにより、プリント配線板のＧＮＤを強化している。
【０００４】
具体的には、導電性部材に立ち上げ部を形成して、該立ち上げ部にビス穴を形成し、その一方でプリント配線板にはレジストを剥離したランドを設置する。
【０００５】
このランドはプリント配線板のＧＮＤに通じており、ランドが露出されたプリント配線板と導電性部材の立ち上げ部とを面で接触させて、接触部分をビス止めすることにより導電性部材とプリント配線板のＧＮＤとを接続する。
【０００６】
しかし、このような接続構造では、プリント配線板にビス穴を形成する必要が生じる。また、ビス穴に加えてビスと他の実装部品とのクリアランスを含めると、多くの領域が必要になるため、ビス止めの位置は基板の隅に設定されることが多い。
【０００７】
ビス止めの位置が基板の隅に設定されると、電子機器内のレイアウトの関係上、プリント配線板のＧＮＤと導電性部材とを接続できない場合が生じる。また、組み立て作業上においてもビス止めという煩雑な作業を必要とする。
【０００８】
そこで、導電性部材に立ち上げ部を形成し、プリント配線板には、立ち上げ部を挿入可能なコネクタを配置して、コネクタに導電性部材の立ち上げ部を挿入することにより導電性部材とプリント配線板のＧＮＤとを接続する技術が提案されている（特許文献１）。
【０００９】
また、プリント配線板と導電性部材との間にバネを配置し、プリント配線板のＧＮＤパターンが露出された部分にバネをあてることにより、プリント配線板のＧＮＤと導電性部材とを接続する技術が提案されている（特許文献２）。
【００１０】
これらの提案では、プリント配線板の任意の位置にコネクタやバネ接触部を配置することができるので、ビス止め作業が不要になる他、プリント配線板のビス止めのランドで導電性部材とプリント配線板とを導通させる場合に比較して位置的な制約は少なくなる。
【特許文献１】特開平１０−２５６６８３号公報
【特許文献２】特開平５−２３４６２５号公報
【発明の開示】
【発明が解決しようとする課題】
【００１１】
しかし、上記特許文献１及び２では、導電性部材とプリント配線板のＧＮＤとを接続するために、コネクタやバネを追加する必要が生じ、コストアップの要因になる。
【００１２】
また、プリント配線板にＧＮＤ接続用のコネクタやバネと接触させるＧＮＤパターン露出部のための領域を確保する必要がある。
【００１３】
さらに、組み立て面においても、コネクタに導電性部材を挿入する工程や、バネを組み込む工程が追加されるため、作業性が悪化する。
【００１４】
そこで、本発明は、新たな部品を追加することなく、配線板を導電性部材に電気的に接続することができるとともに、組み立て作業性の向上及び低コスト化を図ることができる電子機器を提供することを目的とする。
【課題を解決するための手段】
【００１５】
上記目的を達成するために、本発明の電子機器は、導電性弾性部材を有する電子部品と、導電性部材と、一方の面に前記導電性弾性部材と電気的に接続するための第１の導電露出部が形成されると共に、他方の面に前記導電性部材と電気的に接続するための第２の導電露出部が前記第１の導電露出部に対して板厚方向に重なるように形成される両面配線板と、を備え、前記導電性弾性部材が弾性力を発生させた状態で、前記導電性弾性部材と前記第１の導電露出部とを接触させ、前記導電性弾性部材の弾性力により前記第２の導電露出部と前記導電性部材とを接触させるように前記電子部品、前記両面配線板および前記導電性部材とを配置することを特徴とする。
【００１６】
本発明の電子機器は、導電性弾性部材を有する電子部品と、導電性部材と、一方の面に前記導電性弾性部材と電気的に接続するための第１の導電露出部および前記導電性部材と電気的に接続するための第２の導電露出部が形成される片面配線板と、を備え、前記片面配線板は、前記第２の導電露出部が前記第１の導電露出部に対して板厚方向に重なるように、前記第１の導電露出部と前記第２の導電露出部との間で折り曲げられ、前記導電性弾性部材が弾性力を発生させた状態で、前記導電性弾性部材と前記第１の導電露出部とを接触させ、前記導電性弾性部材の弾性力により前記第２の導電露出部と前記導電性部材とを接触させるように前記電子部品、前記両面配線板および前記導電性部材とを配置することを特徴とする。
【発明の効果】
【００１７】
本発明によれば、新たな部品を追加することなく、配線板を導電性部材に電気的に接続することができるとともに、組み立て作業性の向上及び低コスト化を図ることができる。
【発明を実施するための最良の形態】
【００１８】
以下、本発明の実施形態を図面を参照して説明する。
【００１９】
（第１の実施形態）
図１は、本発明の第１の実施形態である電子機器の一例としてのデジタルカメラの外観斜視図である。
【００２０】
図１に示すように、本実施形態のデジタルカメラ１は、上面側にシャッターを切るためのレリーズボタン２、ズーム倍率を変更するためのズームレバー３、電源をＯＮ／ＯＦＦするためのパワーボタン４が配置されている。
【００２１】
デジタルカメラ１の背面側には、撮影画像、メニュー設定画面等を表示するためのＬＣＤ５、撮影する画角の確認やピント合わせのための光学ファインダ６、各種機能を設定するための操作ボタン７、撮影モードを変更するための切り替えスイッチ８が配置される。
【００２２】
また、デジタルカメラ１には、撮影時のシャッター音、ボタン操作時の操作音、動画再生時における音声を再生するためのスピーカ（電子部品）９が内蔵されている。スピーカ９は、デジタルカメラ１の操作時に、ユーザに対して音声を伝えやすくするため、デジタルカメラ１の背面側に内蔵されている。
【００２３】
スピーカ９は、図２に示すように、半田付け１１等により固定された板バネコンタクト（導電性弾性部材）１０を有している。スピーカ９は、図３に示すように、リアカバーユニット２０のリアカバー（カバー部材）１３に接着されたリアカバーインナ１４に圧入されることにより保持される。
【００２４】
スピーカ９に接続するための信号パターンが露出されたスピーカランド（第１の導電露出部）１５は、図４（ａ）に示すように、操作系スイッチ１６が実装された操作系両面フレキシブルプリント配線板（以下、操作系フレキ配線板という。）１７の一方の面に設けられている。
【００２５】
操作系フレキ配線板（両面配線板）１７は、シャーシ（導電性部材）１８に設けられた位置決めダボ１９に圧入されることにより固定される。スピーカ９が取り付けられたリアカバーユニット２０をカメラ本体に組み立てることにより、スピーカ９の板バネコンタクト１０がチャージ圧（弾性力）を発生させた状態で操作系フレキ配線板１７上に設けられたスピーカランド１５に圧接されて電気的に接続される。
【００２６】
操作系フレキ配線板１７に接続されたスピーカ９の信号パターンは、図４（ｂ）に示すように、操作系スイッチ１６の信号パターンとともに操作系フレキ配線板１７内でコネクタ端子部２１に向けて配線される。
【００２７】
コネクタ端子部２１に配線された信号パターンは、メインプリント配線板（以下、メイン基板という）２２に実装されたコネクタ２３を介してメイン基板２２に接続されてスピーカ９の信号を処理するＩＣ２４に配線される。
【００２８】
図５に、スピーカ９の組み付け部の断面図を示す。
【００２９】
図５に示すように、スピーカ９のスピーカランド１５から離間する側に配置されたリアカバー１３には、スピーカ９から発せられた音を外部に伝えるための放音孔２５が設けられている。スピーカ９とリアカバー１３との間には、放音孔２５以外からの音漏れを防ぐために弾性部材２６が介装されている。弾性部材２６には、例えば、シリコンゴムやポリウレタン系発泡体等を用いることができる。
【００３０】
スピーカ９の組み付け時には、弾性部材２６が圧縮された状態でスピーカ９とリアカバー１３との間に介装されるため、部品寸法のばらつきや組み立て誤差が生じる場合においてもリアカバー１３とスピーカ９との間に隙間が生じないようなっている。
【００３１】
スピーカ９に固定された板バネコンタクト１０は、組み付け時には自由状態からチャージされた状態になり、操作系フレキ配線板１７に設けられたスピーカランド１５に押し付けられる方向に付勢される。
【００３２】
ここで、操作系フレキ配線板１７は、上述したように、両面プリント配線板であり、操作系フレキ配線板１７の他方の面でスピーカランド１５の裏側には、ＧＮＤパターンを露出したＧＮＤランド２７がシャーシ１８に接するよう設けられている。
【００３３】
これにより、操作系フレキ配線板１７の板厚方向にＧＮＤランド（第２の導電露出部）２７およびスピーカランド１５が重なるように配置される。また、本実施形態では、ＧＮＤランド２７は、スピーカランド１５の面積よりも大きい面積とされている。
【００３４】
ＧＮＤランド２７がシャーシ１８に接した状態では、リアカバー１３とスピーカ９との間に圧縮状態で配置される弾性部材２６のチャージ圧および板バネコンタクト１０のチャージ圧により、ＧＮＤランド２７がシャーシ１８に圧接する方向に付勢される。これにより、ＧＮＤランド２７がシャーシ１８に圧接して電気的に接続され、操作系フレキ配線板１７のＧＮＤを強化することが可能になる。
【００３５】
また、本実施形態では、シャーシ１８のＧＮＤランド２７に接触する部分に、ＧＮＤランド２７側に突出する凸部２８を設けており、この凸部２８の先端面がＧＮＤランド２７よりも小さい面積で該ＧＮＤランド２７に接触するようにしている。
【００３６】
通常のフレキシブルプリント配線板では、パターン露出部と周辺のカバーレイフィルムとの間に段差が生じる場合がある。この段差は、パターン露出部に施されるめっき処理のめっき厚に比べてカバーレイフィルムの厚みとカバーレイフィルムを接着する際の接着剤の厚みとの総厚が大きいことから生じるもので、その厚みの差はおよそ３０〜５０μｍとなる。
【００３７】
このような場合に、シャーシ１８側が操作系フレキ配線板１７に沿って平行な平面だと、ＧＮＤランド２７がカバーレイフィルムに対して凹んだ状態にあるためＧＮＤランド２７とシャーシ１８との安定した電気的接続が得られない場合が考えられる。
【００３８】
そこで、本実施形態では、ＧＮＤランド２７とシャーシ１８との安定した電気的接続を確保するために、上述したように、シャーシ１８のＧＮＤランド２７に接触する部分にＧＮＤランド２７よりも小さい面積で該ＧＮＤランド２７に接触する凸部２８を設けている。
【００３９】
以上説明したように、本実施形態では、スピーカ９に既設の弾性部材２６および板バネコンタクト１０のチャージ圧によりＧＮＤランド２７をシャーシ１８に圧接させた状態で電気的に接続することができる。
【００４０】
これにより、新たな部品を追加することなく、操作系フレキ配線板１７とシャーシ１８とを接続して操作系フレキ配線板１７のＧＮＤを強化することができ、また、新たな部品が不要なため、組み立て作業性の向上及び低コスト化を図ることができる。
【００４１】
また、本実施形態では、ＧＮＤランド２７の面積がスピーカランド１５よりも大きい面積とされているため、ＧＮＤランド２７がシャーシ１８に接触する面積を大きくすることができ、ＧＮＤランド２７とシャーシ１８との接触抵抗を低減することができる。また、ＧＮＤランド２７の面積を大きくすることにより、部品寸法のばらつきや組み付け誤差が生じた場合にも板バネコンタクト１０が接触する部位の裏側に確実にＧＮＤランド２７を配置することが可能になる。
【００４２】
更に、本実施形態では、シャーシ１８のＧＮＤランド２７に接触する部分にＧＮＤランド２７よりも小さい面積で該ＧＮＤランド２７に接触する凸部２８を設けている。これにより、ＧＮＤランド２７とカバーレイフィルムとの間に段差が生じているような場合でもＧＮＤランド２７とシャーシ１８とを確実に接触させることが可能になる。
【００４３】
（第２の実施形態）
次に、図６を参照して、本発明の第２の実施形態である電子機器の一例であるデジタルカメラについて説明する。なお、上記実施形態と重複する部分については図に同一符号を付してその説明を省略する。
【００４４】
本実施形態のデジタルカメラでは、操作系フレキ配線板１７が片面フレキシブルプリント配線板（片面配線板）とされている。片面フレキシブルプリント配線板は、両面フレキシブルプリント配線板と比較して製造工程および使用材料が少なくてすむため安価な製造が可能になる。
【００４５】
また、片面フレキシブル配線板は、両面フレキシブル配線板を製造する際に必要なスルーホールめっきを処理する工程がないため、パターンの厚みを薄く製造することが可能になり、屈曲性に優れている。
【００４６】
本実施形態のデジタルカメラは、ＧＮＤランド２７およびスピーカランド１５を操作系フレキ配線板１７の片面、即ち同一面に設けている。そして、操作系フレキ配線板１７をシャーシ１８に組み付ける際に、スピーカランド１５とＧＮＤランド２７との略中間位置で操作系フレキ配線板１７を１８０°折り曲げて、スピーカランド１５とＧＮＤランド２７が外側に配置されるようしている。これにより、操作系フレキ配線板１７をシャーシ１８に組み付けた状態で、操作系フレキ配線板１７の板厚方向にＧＮＤランド２７およびスピーカランド１５が重なるように配置される。
【００４７】
操作系フレキ配線板１７をシャーシ１８に組み付けた状態では、リアカバー１３とスピーカ９との間に圧縮状態で配置される弾性部材２６のチャージ圧および板バネコンタクト１０のチャージ圧により、ＧＮＤランド２７がシャーシ１８に圧接する方向に付勢される。これにより、ＧＮＤランド２７がシャーシ１８に圧接した状態で電気的に接続され、操作系フレキ配線板１７のＧＮＤを強化することが可能になる。
【００４８】
なお、本実施形態では、操作系フレキ配線板１７をスピーカランド１５とＧＮＤランド２７との略中間位置で１８０°折り曲げた状態でシャーシ１８に組み付けているため、組み立て時の誤差によりＧＮＤランド２７の位置にズレが生じることがある。
【００４９】
しかし、本実施形態では、上記第１の実施形態と同様に、ＧＮＤランド２７の面積をスピーカランド１５の面積よりも大きく設定している。このため、ＧＮＤランド２７の組み付け位置にズレが生じた場合でも、操作系フレキ配線板１７の板バネコンタクト１０が接触する部位の裏側に確実にＧＮＤランド２７を配置することが可能になる。その他の構成および作用効果は、上記第１の実施形態と同様である。
【００５０】
なお、本発明は上記実施形態に例示したものに限定されるものではなく、本発明の要旨を逸脱しない範囲において適宜変更可能である。
【００５１】
例えば、上記実施形態では、電子部品としてスピーカを例示したが、これに代えて、音声記録のためのマイクロフォンやその他の電子部品を用いてもよい。
【００５２】
また、上記実施形態では、導電性弾性部材として板バネコンタクト１０を例示したが、これに代えて、コイル状の導電性弾性部材やその他の導電性弾性部材を用いてもよい。
【００５３】
更に、上記実施形態では、第２の導電露出部としてＧＮＤパターンを露出したランドを例示したが、これに限定されない。
【００５４】
更に、上記実施形態では、プリント配線板として操作系フレキ配線板を例示したが、これに限定されず、一般のプリント配線板や操作系のスイッチが設けられたプリント配線板以外の配線板であってもよい。
【図面の簡単な説明】
【００５５】
【図１】本発明の第１の実施形態である電子機器の一例としてのデジタルカメラの外観斜視図である。
【図２】スピーカを説明するための斜視図である。
【図３】スピーカが組み付けられるリアカバーユニットの一部を示す斜視図である。
【図４】（ａ）は操作系フレキ配線板の組み付け状態を説明するための斜視図、（ｂ）は（ａ）の背面側から見た斜視図である。
【図５】スピーカの組付部の断面図である。
【図６】本発明の第２の実施形態である電子機器の一例としてのデジタルカメラを説明するためスピーカの組付部の断面図である。
【符号の説明】
【００５６】
１  デジタルカメラ
２  レリーズボタン
３  ズームレバー
４  パワーボタン
５  ＬＣＤ
６  光学ファインダ
７  操作ボタン
８  切り替えスイッチ
９  スピーカ
１０  板バネコンタクト
１３  リアカバー
１４  リアカバーインナ
１５  スピーカランド
１６  操作系スイッチ
１７  操作系フレキ配線板
１８  シャーシ
１９  位置決めダボ
２０  リアカバーユニット
２１  コネクタ端子部
２２  メイン基板
２３  コネクタ
２４  ＩＣ
２５  放音孔
２６  弾性部材
２７  ＧＮＤランド
２８  凸部
【図１】
2009170518.tif 000003
【図２】
2009170518.tif 000004
【図３】
2009170518.tif 000005
【図４】
2009170518.tif 000006
【図５】
2009170518.tif 000007
【図６】
2009170518.tif 000008